(57)【要約】【課題】  誘引紐を確実かつ簡単に固定することができる誘引紐支持具を提供する。【解決手段】  誘引紐３０をワイヤ５２に支持するための誘引紐支持具１であって、上下方向に延びる本体３と、本体の上部に設けられたフック４と、本体の上下方向における中間部から右方かつ上方へと突出し、本体と協働して上方に向けて開口したＶ溝７を形成する突出片８と、本体の下部に設けられ、ボビン３１を支持するボビン支持部５と、本体部の前面１１であってＶ溝の下方に前方へと突設されたガイド凸部２０とを有し、誘引紐は、ボビンから繰り出された後、Ｖ溝を後方から前方へと通過し、ガイド凸部に導かれて左方へと屈曲し、本体の外面に沿って後面側へと巻き付けられ、Ｖ溝を再度後方から前方へと通過し、その後、ガイド凸部の右側を通過して下方へと延び、植物に連結されるようにした。【選択図】    図１
2013118861.tif 000002
【特許請求の範囲】
【請求項１】
植物の誘引に供される誘引紐を架台に支持するための誘引紐支持具であって、
上下方向に延びる本体と、
前記架台に係止されるべく、前記本体の上部に設けられたフックと、
前記本体の上下方向における中間部から右方かつ上方へと突出し、前記本体と協働して上方に向けて開口したＶ溝を形成する突出片と、
前記誘引紐が巻き回されたボビンを回転可能に支持するべく、前記本体の下部から左方へと突設されたボビン支持部と、
前記本体部の前面であって前記Ｖ溝の下方に前方へと突設されたガイド凸部と
を有し、
前記誘引紐は、前記ボビンから繰り出された後、前記Ｖ溝を後方から前方へと通過し、前記ガイド凸部に導かれて左方へと屈曲し、前記本体の外面に沿って後面側へと巻き付けられ、前記Ｖ溝を再度後方から前方へと通過し、その後、ガイド凸部の右側を通過して下方へと延び、前記植物に連結されることを特徴とする誘引紐支持具。
【請求項２】
前記ガイド凸部は、前記本体の前記前面上を左方へと延在していることを特徴とする請求項１に記載の誘引紐支持具。
【請求項３】
前記ガイド凸部の右上端部は、前記Ｖ溝の底部を通過する鉛直線よりも左方にオフセットした位置に配置されていることを特徴とする請求項１又は請求項２に記載の誘引紐支持具。
【請求項４】
前記本体の左側面には、前記本体の前記前面側から導かれた前記誘引紐の位置を定めるガイド溝が設けられていることを特徴とする請求項１〜請求項３のいずれか１つの項に記載の誘引紐支持具。
【請求項５】
前記ガイド溝は、前記ガイド凸部の上端部の左方に配置されていることを特徴とする請求項１〜請求項４のいずれか１つの項に記載の誘引紐支持具。
【請求項６】
前記本体の前面には、前記ガイド凸部の右端から下方へと延在する上下ガイド壁が設けられていることを特徴とする請求項１〜請求項５のいずれか１つの項に記載の誘引紐支持具。
【発明の詳細な説明】
【技術分野】
【０００１】
本発明は、トマト等の植物の茎を支持するために、茎に連結される誘引紐を繰り出す誘引紐支持具であって、植物の上方に掛け渡されたワイヤ等に取り付けて使用するものである。
【背景技術】
【０００２】
トマトやキュウリ等の植物の栽培時に、その茎が自重や実の重みで垂れ下がらないように、茎を誘引紐によって吊り下げる栽培方式がある。このような栽培方式では、茎の成長に伴って誘引紐の長さや支持位置の変更が生じるため、必要に応じて誘引紐の長さを調節することができる誘引紐支持具が使用されている（例えば、特許文献１）。
【０００３】
特許文献１に係る誘引紐支持具は、上方に向けて開口する上部Ｖ溝と、上部Ｖ溝の下方に配置され、下方に向けて開口する下部Ｖ溝とを有し、誘引紐が上部Ｖ溝及び下部Ｖ溝を連続して通過するように上下方向に巻き掛けられている。誘引紐は、上部Ｖ溝を同じ方向に２回通過するように巻き掛けられ、誘引紐の２回目に上部Ｖ溝を通過した部分（以下、２巻目部分という）が、１回目に上部Ｖ溝を通過した部分（以下、１巻目部分という）を上部Ｖ溝の開口端の角稜部との間に挟持し、誘引紐の繰り出しを規制する（図８（Ｂ）参照）。
【先行技術文献】
【特許文献】
【０００４】
【特許文献１】欧州特許第１３１８７１２号明細書
【発明の概要】
【発明が解決しようとする課題】
【０００５】
しかしながら、特許文献１に係る誘引紐支持具は、誘引紐の１巻目部分が上部Ｖ溝を通過した後、下方へと導かれているため、上部Ｖ溝の開口端角稜部において２巻目部分が１巻目部分を挟持可能な範囲が狭く、その範囲からずれて２巻目部分が１巻目部分に対して
配置される場合がある（図８（Ｃ）参照）。例えば、２巻目部分が１巻目部分の上面に対してずれて配置されると、２巻目部分が上部Ｖ溝の開口端角稜部との間に１巻目部分を挟持することができず、誘引紐の繰り出しを規制できなくなる。そのため、特許文献１に係る誘引紐支持具では、２巻目部分を１巻目部分の上方に確実に配置するために、細心の注意をもって巻き掛け操作を行う必要がある。
【０００６】
本発明は、以上の問題を鑑みてなされたものであって、誘引紐を確実かつ簡単に固定することができる誘引紐支持具を提供することを課題とする。
【課題を解決するための手段】
【０００７】
上記課題を解決するために、本発明は、植物（５１）の誘引に供される誘引紐（３０）を架台（５２）に支持するための誘引紐支持具（１）であって、上下方向に延びる本体（３）と、前記架台に係止されるべく、前記本体の上部に設けられたフック（４）と、前記本体の上下方向における中間部から右方かつ上方へと突出し、前記本体と協働して上方に向けて開口したＶ溝（７）を形成する突出片（８）と、前記誘引紐が巻き回されたボビン（３１）を回転可能に支持するべく、前記本体の下部から左方へと突設されたボビン支持部（５）と、前記本体部の前面（１１）であって前記Ｖ溝の下方に前方へと突設されたガイド凸部（２０）とを有し、前記誘引紐は、前記ボビンから繰り出された後、前記Ｖ溝を後方から前方へと通過し、前記ガイド凸部に導かれて左方へと屈曲し、前記本体の外面に沿って後面側へと巻き付けられ、前記Ｖ溝を再度後方から前方へと通過し、その後、ガイド凸部の右側を通過して下方へと延び、前記植物に連結されることを特徴とする。
【０００８】
この構成によれば、誘引紐のうちでＶ溝の前端縁を１回目に通過した１巻目部分は、ガイド凸部に導かれて左方へと延在し、下方への移動が規制されるため、Ｖ溝の前端縁付近に存在する範囲が広くなる。そのため、誘引紐のうちでＶ溝の前端縁を２回目に通過した２巻目部分は、Ｖ溝の前端縁付近において１巻目部分に重なり易くなり、前端縁との間に１巻目部分を挟持し易くなる。そのため、本体部及びＶ溝への誘引紐の巻き掛け操作が簡単になる。
【０００９】
本発明の他の側面は、前記ガイド凸部は、前記本体の前記前面上を左方へと延在していることを特徴とする。
【００１０】
この構成によれば、ガイド凸部を延在させて大きく形成したため、誘引紐を左方へとガイドする機能を奏しつつも、誘引紐との意図しない絡まり（引っ掛かり）を防止することができる。
【００１１】
本発明の他の側面は、前記ガイド凸部の右上端部は、前記Ｖ溝の底部を通過する鉛直線よりも左方にオフセットした位置に配置されていることを特徴とする。
【００１２】
この構成によれば、ガイド凸部が左方へとオフセットして配置されているため、誘引紐のうちでＶ溝の前端縁を２回目に通過した２巻目部分が、Ｖ溝の前端から鉛直下方へと延在可能になっている。
【００１３】
本発明の他の側面は、前記本体の左側面には、前記本体の前記前面側から導かれた前記誘引紐の位置を定めるガイド溝（１５）が設けられていることを特徴とする。前記ガイド溝は、前記ガイド凸部の上端部の左方に配置されていることを特徴とする。
【００１４】
この構成によれば、本体に対する誘引紐の位置を所定の位置に定めることができる。
【００１５】
本発明の他の側面は、前記本体の前面には、前記ガイド凸部の右端から下方へと延在する上下ガイド壁が設けられていることを特徴とする。
【００１６】
この構成によれば、誘引紐のうちでＶ溝の前端縁を２回目に通過した２巻目部分が、上下ガイド壁によってＶ溝の前端から鉛直下方へと導かれる。
【発明の効果】
【００１７】
以上の構成によれば、誘引紐を確実かつ簡単に固定することができる誘引紐支持具を提供することができる。
【図面の簡単な説明】
【００１８】
【図１】誘引紐支持具の斜視図
【図２】誘引紐支持具の正面図
【図３】誘引紐支持具の上面図
【図４】誘引紐支持具に誘引紐を固定する手順を示す図
【図５】誘引紐支持具に誘引紐を固定する手順を示す図
【図６】誘引紐支持具に誘引紐を固定する手順を示す図
【図７】誘引紐支持具により植物の茎を誘引する過程を示す模式図
【図８】Ｖ溝における誘引紐の配置を示す模式図であって、（Ａ）本実施形態、（Ｂ）〜（Ｄ）従来例を示す
【発明を実施するための形態】
【００１９】
以下、図面を参照して、本発明の実施形態に係る誘引紐支持具１について説明する。以下の説明では、鉛直方向を上下方向とし、他の方向については図に示す座標軸に基づいて各方向を定める。
【００２０】
図１〜３に示すように、誘引紐支持具１は、略上下方向に延在する略四角柱状の本体３を有している。本体３の上端には、Ｕ字形状を呈し、先端が下方を向くフック４が形成されている。本体３の下端には、左方へと延びる棒状のボビン支持部５が設けられている。本体３、フック４、及びボビン支持部５を含む誘引紐支持具１は、連続した１つの樹脂材料から形成されている。樹脂材料には、公知の様々な材料を適用することができ、例えば熱可塑性樹脂、より詳細にはポリカーボネートを適用することができる。
【００２１】
本体３の右側面６の上下方向における中間部には、右方かつ上方へと突設され、本体３の右側面６と協動して上方に向けて開口したＶ溝７を形成する突出片８が形成されている。Ｖ溝７は、断面が三角形状を呈し、前後方向に延在し、本体３の前面１１及び後面に連続している。Ｖ溝７と前面１１との境界部、すなわちＶ溝７の前端縁部は、略９０°の角稜を形成している。Ｖ溝７は、下方に進むほど、すなわち底部側ほど左右方向における幅が狭くなっている。
【００２２】
本体３の左側面１４であって、上下方向においてＶ溝７の底部と対応する部分には、右方へと凹まされると共に、前後方向に延在するガイド溝１５が形成されている。ガイド溝１５は、本体３の前面１１及び後面に連続し、前方から見て略半円状の形状を呈する。本体３の左側面１４であって、ガイド溝１５の上縁部及び下縁部には、ガイド溝１５を延長するように、上ガイド壁１７及び下ガイド壁１８が左方へと突設されている。
【００２３】
本体３の前面１１であって、Ｖ溝７の底部の左斜め下部分には、ガイド凸部２０が前方へと突設されている。ガイド凸部２０は、Ｖ溝７の底部に近接して配置された右上端部２１から左下へと傾斜して延びて本体３の左側面１４まで連続し、下ガイド壁１８に連続している。より詳細には、図２に示すように、前方から見て、ガイド凸部２０の右上端部２１は、Ｖ溝７の最底部を通る水平線Ｈ（左右方向線）よりも下方にオフセットして配置され、かつＶ溝７の最底部を通る鉛直線Ｖ（上下方向線）よりも左にオフセットして配置されている。ガイド凸部２０は、その延在方向における中間部が最も前方へと突出している。
【００２４】
また、本体３の前面１１には、ガイド凸部２０の右上端部２１から鉛直下方に延在する上下ガイド壁２３が突設されている。上下ガイド壁２３の右側面２４は、Ｖ溝７の最底部を通る鉛直線Ｖに沿って延在している。
【００２５】
誘引紐３０は、樹脂糸や綿糸からなる紐であり、図４に示すように、円筒状のボビン（リール）３１に巻き回されて収納されている。ボビン３１の内孔（図示しない）にはボビン支持部５が挿通され、ボビン３１はボビン支持部５に回転可能に支持されている。図１〜図４に示すように、ボビン支持部５の先端部（左端）には、２つの弾性爪３２が形成されている。これらの弾性爪３２が、ボビン３１の内孔の端部に引っ掛かることによって、ボビン３１のボビン支持部５からの抜け出しが規制されている。
【００２６】
本実施形態に係る誘引紐支持具１は、前後対称形に形成されており、上記したガイド凸部２０及び上下ガイド壁２３は本体３の後面にも設けられている。本体３、フック４及びボビン支持部５の適所には、必要に応じて肉抜き部や補強リブを形成してよい。
【００２７】
図７に示すように、誘引紐支持具１は、誘引対象となるトマト等の植物５１の上方に略水平に掛け渡されたワイヤ５２に、フック４において引っ掛けられる。ワイヤ５２は、地面に対して立設された支柱間に掛け渡されたものであってよい。なお、ワイヤ５２に代えて、ネットや梁等を支持体としてもよい。
【００２８】
図４〜図６を参照して、誘引紐支持具１から繰り出される誘引紐３０の長さの固定方法について説明する。図４に示すように、使用者は、ボビン３１に巻かれた誘引紐３０の先端部３５を掴んで所定の長さ繰り出し、先端部３５を本体３の左斜め下から本体３の後方へと導く。続いて、上方から見て本体３に誘引紐３０を時計回りに巻き掛けるように、誘引紐３０を本体３の右方を通って前方へと導き、誘引紐３０を本体３の右側面６に接触させる。この状態で、誘引紐３０を下方へと引くことによって、誘引紐３０を右側面６上において摺動させ、誘引紐３０をＶ溝７内に配置する。これにより、誘引紐３０は、Ｖ溝７を後方から前方へと通過する。誘引紐３０をＶ溝７内に配置した後は、先端部３５を左方へと導く。このとき、Ｖ溝７の左斜め下にはガイド凸部２０の右上端部２１が存在するため、誘引紐３０の左斜め下への配置が規制され、誘引紐３０はガイド凸部２０の右上端部２１の上端面に沿って左方へと導かれ、図４に示す状態となる。
【００２９】
図４に示す状態から、誘引紐３０を上ガイド壁１７と下ガイド壁１８との間に導き、誘引紐３０を後方へと引くことによって、誘引紐３０は上ガイド壁１７又は下ガイド壁１８とガイド溝１５との壁面に導かれ、ガイド溝１５内の所定の位置に配置される。続いて、再度、上方から見て本体３に誘引紐３０を時計回りに巻き掛けるように、誘引紐３０を本体３の後方かつ右方へと導く。これにより、図５に示す状態となる。
【００３０】
図５に示す状態から、誘引紐３０を本体３の右方を通って前方へと導き、誘引紐３０を本体３の右側面６に接触させ、この状態で誘引紐３０を下方へと引くことによって、誘引紐３０を右側面６上において摺動させ、誘引紐３０をＶ溝７内に配置する。これにより、誘引紐３０は、Ｖ溝７を後方から前方へと再度通過する。Ｖ溝７を通過した誘引紐３０は、上下ガイド壁２３の右方を通って下方へと延在させる。これにより、図６に示す状態となる。
【００３１】
図６に示す状態では、誘引紐３０のうちの１回目にＶ溝７の前端縁部を通過した１巻目部分４０が、２回目にＶ溝７の前端縁部を通過した２巻目部分４１によって、角稜を形成するＶ溝７の前端縁部との間に挟持され、移動が阻止される。そのため、誘引紐３０の先端部３５に下方へと引っ張る荷重が加わっても、誘引紐３０の先端部３５が下方へと移動しない。すなわち、誘引紐３０が誘引紐支持具１（ボビン３１）から繰り出されることがない。以上の構成により、誘引紐３０の先端部３５に植物５１の茎等を吊り下げても、誘引紐支持具１から誘引紐３０が繰り出されることはなく、誘引紐支持具１は、繰り出した誘引紐３０を所定の長さに維持することができる。
【００３２】
図７に示すように、誘引紐支持具１から繰り出された誘引紐３０の先端部３５には、クランプ５３を介して植物５１の茎５４が連結される。先端部３５は、接着や締結等によってクランプ５３に結合され、クランプ５３が茎５４を挟持する。なお、他の実施形態ではクランプ５３を省略して、誘引紐３０の先端部３５を茎５４に直接に結び付けてもよい。図７（Ａ）及び（Ｂ）に示すように、茎５４の成長に応じて、誘引紐支持具１は、誘引紐３０の繰り出し長さを調節することで茎５４を鉛直上方に誘引することができる。また、図７（Ｃ）に示すように、茎５４を側方へ誘引したい場合には、フック４をワイヤ５２に対してスライド移動させ、誘引紐支持具１の茎５４に対する相対位置を変位させればよい。また、誘引紐支持具１をワイヤ５２以外の他のワイヤに支持させることによって、茎５４の誘引方向を変更してもよい。その際、フック４は、ワイヤ５２に対して引っ掛かっているだけの簡単な結合構造であるため、支持させるワイヤの変更が容易である。
【００３３】
以上のように構成した誘引紐支持具１の作用効果を、図８を参照して説明する。図８（Ａ）に示すように、本実施形態に係る誘引紐支持具１では、ガイド凸部２０の右上端部２１によって１巻目部分４０が左方へと導かれ、かつ下方への移動が規制され、Ｖ溝７の前端縁部付近に維持されている。そのため、２巻目部分４１が、Ｖ溝７の前端縁部の角稜との間に１巻目部分４０を挟持可能な範囲Ａが左右方向に拡大され、２巻目部分４１はＶ溝７の前端縁部の角稜との間に１巻目部分４０を容易に挟持できるようになる。
【００３４】
これに対して、図８（Ｂ）に示す従来例のように、ガイド凸部２０が存在せず、Ｖ溝６０の前端縁部から１巻目部分６１が下方へと延びる場合には、２巻目部分６２が、Ｖ溝６０の前端縁部の角稜との間に１巻目部分６１を挟持可能な範囲は、誘引紐３０の直径Ｂの範囲しかない。このような場合には、Ｖ溝６０の前端縁部において２巻目部分６２を１巻目部分６１の真上に配置することは比較的困難であり、図８（Ｃ）に示すように、２巻目部分６２が１巻目部分６１に対してずれ、２巻目部分６２がＶ溝６０の前端縁部の角稜との間に１巻目部分６１を挟持しない場合がある。このような形態になると、誘引紐３０は誘引紐支持具に対して固定されず、繰り出しが規制されない。
【００３５】
また、図８（Ｄ）に示すように、１巻目部分６１を左方に導き、その上に２巻目部分６２を重ねるように配置したとしても、誘引紐３０を下方へと引く荷重が大きい場合には、１巻目部分６１が下方へとずれ、２巻目部分６２が１巻目部分６１を挟持する位置がＶ溝６０の前端縁部の角稜部からずれることがある。このように、挟持する位置が角稜部からずれると、１巻目部分６１を固定する力が大きく減少するため、誘引紐３０の繰り出しを阻止することはできない。本実施形態に係る誘引紐支持具１は、ガイド凸部２０が１巻目部分４０を下方から支持し、移動を規制するため、１巻目部分４０のずれを防ぐことができる。そのため、２巻目部分４１は、Ｖ溝７の前端縁部の角稜との間に１巻目部分４０を確実に挟持することができる。
【００３６】
本実施形態に係る誘引紐支持具１では、誘引紐３０を２回目にＶ溝７に通過させる際に、誘引紐３０を本体３の右側面６に摺接させながら下方へと導くことによって、２巻目部分４１で１巻目部分４０をＶ溝７の前端縁部の角稜との間により確実に挟持することができる。
【００３７】
以上で具体的実施形態の説明を終えるが、本発明は上記実施形態に限定されることなく幅広く変形実施することができる。
【符号の説明】
【００３８】
１…誘引紐支持具、３…本体、４…フック、５…ボビン支持部、６…右側面、７…Ｖ溝、８…突出片、１１…前面、１４…左側面、１５…ガイド溝、１７…上ガイド壁、１８…下ガイド壁、２０…ガイド凸部、２１…右上端部、２３…上下ガイド壁、２４…右側面、３０…誘引紐、３１…ボビン、３５…先端部、４０…１巻目部分、４１…２巻目部分、５１…植物、５２…ワイヤ（架台）、５３…クランプ、５４…茎
【図１】
2013118861.tif 000003
【図２】
2013118861.tif 000004
【図３】
2013118861.tif 000005
【図４】
2013118861.tif 000006
【図５】
2013118861.tif 000007
【図６】
2013118861.tif 000008
【図７】
2013118861.tif 000009
【図８】
2013118861.tif 000010